(57)【要約】      （修正有）【課題】在宅にして全身的診療を受診する医療システムを提供する。【解決手段】既存の単立的独立法人を１施設内に収容し、それらがコラボレーションし１活動総体を形成して、全体を統括統合管理運営していくコラボレーションコントロール通信・指令のオペレーションシステムであって、複数独立医療法人等を集合させた１施設を１総合病院と成し、既存の総合病院には稀な在宅医療を提供するコラボレーション総合病院を形成させる。【選択図】図２
2020126654.tif 000002
【特許請求の範囲】
【請求項１】
１施設内複数独立法人等収容の１集合体を１活動総体にコラボレーションさせる「コラボレーションコントロール通信・指令オペレーションシステム」。
【請求項２】
複数独立医療法人等を集合させた１施設を、請求項１のシステムにより１総合病院と成し、既存の総合病院には稀な在宅医療（往診・訪問診療）を提供するコラボレーション総合病院を形成させるシステム。
【発明の詳細な説明】
【技術分野】
【０００１】  既存の単立・独立的単科等の複数医療機関を如何に在宅医療（往診・訪問診療）を兼ね備えた１つの総合病院に形成させるかに関する。
【背景技術】
【０００２】  医療は全身的診療こそ理想である。故に総合病院こそその要望に応え得る。往診・訪問診療とて同じである。
【先行技術】
【０００３】  既存の総合病院で往診・訪問診療を設けている病院は稀である。
【０００４】  単立・独立的単科、或いは少数診療科目掲示診療所に於ける往診・訪問診療は為されており、また、少数診療科目に於ける往診・訪問診療専門の診療所も有る。
【発明の概要】
【発明が解決しようとする課題】
【０００５】  何れにしても既存の往診・訪問医療では、取り扱い専門医療科目以外に関しては他の診療機関を頼らざるを得ない問題点が有り、事は人命に係わることである。【０００６】  本発明は、在宅にして全身的診療を受診し得る医療をできる限り提供することにある。【０００７】  往診・訪問診療に総合病院的診療施設の建設をもって対応するなら費用・用地・医師等の専門職員の確保、運営に至るまでの歳月等、余りにも難問が多となり、費用対効果も危ぶまれ経営維持も危惧される。
【課題を解決するための手段】
【０００８】  できる限り既存の開業医等の医療機関と関連医療機関とを１収容施設に集合させ、協同・共動・共有の３原則に基づきコラボレーションさせ、その収容建物にて１総合的医療機関を形成させる。【０００９】  「協同」は法人独立開業医・法人医療とその関連機関。「共動」は往診・訪問診療機関。「共有」は協同に属する法人医療とその関連機関である。【００１０】  １施設内に編成した総合的医療機関が総合病院を形成するようコラボレーションコントロール通信・指令オペレーションシステムを活用し、効率よく全体的に運営していく。【００１１】  このコラボレーションコントロール通信・指令オペレーションシステムを運用するところを総合病院のコラボレーションコントロール通信・指令オペレーションセンターとし、在宅医療センターを運営し往診・訪問診療を展開していく。【００１２】  病院の形態は外来と在宅医療の総合病院である。入院施設を持つが、往診・訪問診療の受診患者が高度な診療機器を短期的に必要とした時、或いは、受診患者に対し短期集中的な医療管理を必要とした時の急性期医療に限定された入院のみの施設であって、療養医療としての施設ではない。
【発明の効果】
【００１３】  短期間、費用軽減で総合病院の設立が可能である。【００１４】  総合病院の体制と機能で往診・訪問診療を可能とし、外来診療を通常としている病院である。
【図面の簡単な説明】
【００１５】
【図１】「コラボレーションコントロール通信・指令オペレーションシステム構造図」である。
【図２】コラボレーション総合病院の「コラボレーションコントロール通信・指令オペレーションシステム構造図」である。
【図３】コラボレーション総合病院の「院内・院外、通信・指令オペレーション装置構造図」である。
【図４】コラボレーション総合病院の「総院的記録管理装置構造図」である。
【図５】本発明に於ける１収容施設内のコラボレーション総合病院の「独立医療機関等の配置例  立面図」である。
【図６】図５に於けるコラボレーション総合病院の「コラボレーションコントロール通信・指令オペレーションセンターの管理・通信・指令図」である。
【図７】図５のコラボレーション総合病院の「在宅医療に於けるコラボレーションコントロール通信・指令オペレーションセンターの通信・指令図」である。
【発明を実施するための形態】
【００１６】  １総合病院を形成する各専門分野機関は独立した法人組織とし、それらが協同・共動・共有するコラボレーション機関となるよう統括統合する働きをする「コラボレーションコントロール通信・指令オペレーションセンター」は、１総合病院を形成する全独立法人機関が、定められた規定に基づきそれぞれが出資し設ける共同出資法人機関である。
【００１７】  コラボレーションコントロール通信指令オペレーションセンターと病院全機関・全職員との通信は、固定型端末とモバイル端末のスマートフォンで行い、その為の専用アプリケーションを開発し実施する。
【符号の説明】
【００１８】００１  コラボレーションコントロール通信・指令オペレーションセンター
１００  内・外、通信・指令オペレーション装置
１０１  表示部／大型ディスプレー部
１０２ａ  通信指令端末部
１０２ｂ  通信指令端末部
１０３  施設内通信／指令部
１０４  施設外通信／指令部
１０５  外部通信部
１０６  ヘッドセット
１００  院内・院外、通信・指令オペレーション装置
１１１  院内通信／指令
１１２  院外通信／指令
１１３  外部通信
１２０  往診・訪問診療の出動
１２１  往診・訪問診療の緊急往診
１２２  往診・訪問診療の定期巡回訪問診療
１３０  往診・訪問診療の出動手段
１５０  通話路制御装置
１５５  携帯端末
１６０  ＧＰＳデータ取得部
１６５  携行ＧＰＳ
２００  全部門記録装置（Ｐｏｉｎｔ  ｂｙ  Ｐｏｉｎｔ）／総院的記録管理装置（Ｐｏｉｎｔ  ｂｙ  Ｐｏｉｎｔ）
２０１  協同部門のＰ  ｂｙ  Ｐ
２０２  共動部門のＰ  ｂｙ  Ｐ
２０３  共有部門のＰ  ｂｙ  Ｐ
２０４  全スタッフのＰ  ｂｙ  Ｐ
２１１  データ振り分け部
３００  中央制御装置
３１０  院内・院外、通信・指令オペレーションシステムの制御部
３２０  総院的記録管理装置の制御部
４００  記憶装置／サーバ
４０１  装置１００のデータ
４０２  装置２００のデータ
４０３  その他データ
４０５  全患者の医療データ
５０１  協同部門
５０１ａ  協同部門端末
５０２  共動部門／在宅医療センター
５０２ａ  共動部門端末
５０３  共有部門
５０３ａ  共有部門端末
６００  イントラネット
６０１  ネットワーク送受信部
６０２  ネットワーク送受信部
６０３  ネットワーク送受信部
【図１】
2020126654.tif 000003
【図２】
2020126654.tif 000004
【図３】
2020126654.tif 000005
【図４】
2020126654.tif 000006
【図５】
2020126654.tif 000007
【図６】
2020126654.tif 000008
【図７】
2020126654.tif 000009